【手続補正書】
【提出日】平成18年3月28日(2006.3.28)
【手続補正１】
【補正対象書類名】特許請求の範囲
【補正対象項目名】全文
【補正方法】変更
【補正の内容】
【特許請求の範囲】
【請求項１】
チャネルリソースを最小にするマルチキャスト送信のための装置において、
メモリエレメントと、
メモリエレメントに記憶されている１組の命令を実行する処理エレメントとを具備し、
この１組の命令は、
マルチキャストサービスにアクセスするための１グループの加入者用識別子を発生させ、
少なくとも１人の加入者に関するチャネル品質情報を使用して、１グループの加入者に対するマルチキャストサービスのタイミングを決定し、
識別子と、チャネル品質情報によって決定されたタイミングにしたがって各加入者に送信されるマルチキャストサービスとを、少なくとも１つのチャネル上で送信するためのものである装置。
【請求項２】
少なくとも１つのチャネル上で識別子とマルチキャストサービスとを送信することは、
第１のチャネル上で識別子を送信し、
第２のチャネル上でマルチキャストを送信することを含む請求項１記載の装置。
【請求項３】
処理エレメントはさらに、マルチキャストサービスを第２のチャネル上で送信する前に、マルチキャストサービスをスクランブルするための命令を実行するためのものであり、このスクランブルは、１グループの加入者に対してのみ知られているコードを使用して行われる請求項２記載の装置。
【請求項４】
識別子は、媒体アクセス制御識別子ＭＡＣ＿ＩＤである請求項１記載の装置。
【請求項５】
チャネルリソースを最小にするマルチキャスト送信のための装置において、
メモリエレメントと、
メモリエレメントに記憶されている１組の命令を実行する処理エレメントとを具備し、
この１組の命令は、
マルチキャストサービスにアクセスするための１グループの加入者用識別子を発生させ、
識別子によって識別される最悪チャネル状態を持つ加入者に関連付けられたチャネル品質情報を選択することによって、チャネル品質情報を選び、
最悪チャネル状態を持つ加入者が、最適なチャネル品質でマルチキャストサービスを受信できるようにするマルチキャストサービスのタイミングを決定し、このタイミングは、最悪チャネル状態を持つ加入者に関連付けられたチャネル品質情報に基づいて決定され、
識別子と、チャネル品質情報によって決定されたタイミングにしたがって各加入者に送信されるマルチキャストサービスとを、少なくとも１つのチャネル上で送信するためのものである装置。
【請求項６】
チャネル品質情報はフォワードリンク共通パイロット信号のチャネル干渉の測定値である請求項５記載の装置。
【請求項７】
チャネル品質情報は基地局の送信電力レベルから導かれる請求項５記載の装置。
【請求項８】
チャネル品質情報は複数の肯定応答信号である請求項５記載の装置。
【請求項９】
最悪チャネル状態を持つ加入者のチャネル品質情報を選ぶことは、
１グループの加入者に、複数のテストデータパケットを送信し、
複数のテストデータパケットに応答した１グループの加入者の中からの複数の肯定応答信号を待ち、
複数の肯定応答信号が、１グループの加入者の予め定められた割合からの応答を示す場合、マルチキャストサービスを送信することを含む請求項８記載の装置。
【請求項１０】
識別子は、媒体アクセス制御識別子ＭＡＣ＿ＩＤである請求項５記載の装置。
【請求項１１】
チャネルリソースを最小にするマルチキャスト送信のための装置において、
メモリエレメントと、
メモリエレメントに記憶されている１組の命令を実行する処理エレメントとを具備し、
この１組の命令は、
マルチキャストサービスにアクセスするための１グループの加入者用識別子を発生させ、
識別子によって識別される最悪チャネル状態を持つ加入者のチャネル品質情報を選び、
最悪チャネル状態を持つ加入者が、最適なチャネル品質でマルチキャストサービスを受信できるようにするマルチキャストサービスのタイミングを決定し、このタイミングは、最悪チャネル状態を持つ加入者に関連付けられたチャネル品質情報に基づいて決定され、
識別子と、チャネル品質情報によって決定されたタイミングにしたがって各加入者に送信されるマルチキャストサービスとを、少なくとも１つのチャネル上で送信するためのものである装置。
【請求項１２】
チャネル品質情報は最悪チャネル状態を持つ加入者からの肯定応答信号である請求項１１記載の装置。
【請求項１３】
識別子は、媒体アクセス制御識別子ＭＡＣ＿ＩＤである請求項１１記載の装置。
【請求項１４】
チャネルリソースを最小にするマルチキャスト送信のための装置において、
メモリエレメントと、
メモリエレメントに記憶されている１組の命令を実行する処理エレメントとを具備し、
この１組の命令は、
マルチキャストサービスにアクセスするための、マルチキャストサービスに対する１グループの加入者用識別子を発生させ、
識別子によって識別される最悪チャネル状態を持つ加入者に関連付けられたチャネル品質情報を選択することによってチャネル品質情報を選び、
最悪チャネル状態を持つ加入者が、最適なチャネル品質でマルチキャストサービスを受信できるようにするマルチキャストサービスの送信フォーマットを決定し、この送信フォーマットは、最悪チャネル状態を持つ加入者に関連付けられたチャネル品質情報に基づいて決定され、
識別子と、チャネル品質情報によって決定された送信フォーマットにしたがって各加入者に送信されるマルチキャストサービスとを、少なくとも１つのチャネル上で送信するためのものである装置。
【請求項１５】
チャネル品質情報はフォワードリンク共通パイロット信号のチャネル干渉の測定値である請求項１４記載の装置。
【請求項１６】
チャネル品質情報は基地局の送信電力レベルから導かれる請求項１４記載の装置。
【請求項１７】
チャネル品質情報は複数の肯定応答信号である請求項１４記載の装置。
【請求項１８】
最悪チャネル状態を持つ加入者のチャネル品質情報を選ぶことは、
１グループの加入者に、複数のテストデータパケットを送信し、
複数のテストデータパケットに応答した１グループの加入者からの複数の肯定応答信号を待ち、
複数の肯定応答信号が、１グループの加入者の予め定められた割合からの応答を示す場合、マルチキャストサービスを送信することを含む請求項１７記載の装置。
【請求項１９】
マルチキャストサービスが、最悪チャネル状態を持つ加入者にとって最適な送信フォーマットにしたがって各加入者に送信される請求項１４記載の装置。
【請求項２０】
送信フォーマットは、データレート、スロット数、パケット毎のビット、コードレート、変調、シンボル反復、および送信期間を含んでいるグループから選択された少なくとも２つの送信パラメータを含む請求項１４記載の装置。
【請求項２１】
送信フォーマットの少なくとも２つの送信パラメータは、チャネル品質情報に基づいて調整される請求項２０記載の装置。
【請求項２２】
識別子は、媒体アクセス制御識別子ＭＡＣ＿ＩＤである請求項１４記載の装置。
【請求項２３】
セルラ通信ネットワーク内の１グループの加入者にブロードキャストする方法において、
マルチキャストサービスにアクセスするための１グループの加入者用識別子を発生させ、
少なくとも１人の加入者に関するチャネル品質情報を使用して、１グループの加入者に対するマルチキャストサービスのタイミングを決定し、
識別子と、チャネル品質情報によって決定されたタイミングにしたがって各加入者に送信されるマルチキャストサービスとを、少なくとも１つのチャネル上で送信することを含む方法。
【請求項２４】
識別子は、媒体アクセス制御識別子ＭＡＣ＿ＩＤである請求項２３記載の方法。
【請求項２５】
効果的なマルチキャストブロードキャスティングのための方法において、
マルチキャストサービスにアクセスするための、マルチキャストサービスに対する１グループの加入者用識別子を発生させ、
１グループの加入者からの複数のチャネル品質フィードバックインジケータを解析することによって最悪チャネル品質を持つ加入者を識別し、
マルチキャストサービスが最悪チャネル状態を持つ加入者によって受信されるように、マルチキャストサービスのタイミングおよび送信フォーマットを選択し、
最悪チャネル品質を持つ加入者によって決定されたタイミングおよび送信フォーマットにしたがって、各加入者に対して、識別子を第１のシグナクリングチャネル上で送信し、マルチキャストサービスを第２のチャネル上で送信することを含む方法。
【請求項２６】
マルチキャストサービスが、最悪チャネル状態を持つ加入者にとって最適な送信フォーマットにしたがって各加入者に送信される請求項２５記載の方法。
【請求項２７】
送信フォーマットは、データレート、スロット数、パケット毎のビット、コードレート、変調、シンボル反復、および送信期間を含んでいるグループから選択された少なくとも２つの送信パラメータを含む請求項２６記載の方法。
【請求項２８】
送信フォーマットの少なくとも２つの送信パラメータは、チャネル品質情報に基づいて調整される請求項２７記載の方法。
【請求項２９】
識別子は、媒体アクセス制御識別子ＭＡＣ＿ＩＤである請求項２５記載の方法。
【請求項３０】
チャネルリソースを最小にするマルチキャスト送信のための装置において、
メモリエレメントと、
メモリエレメントに記憶されている１組の命令を実行する処理エレメントとを具備し、
この１組の命令は、
マルチキャストサービスにアクセスするための１グループの加入者用識別子を発生させ、
少なくとも１人の加入者に関するチャネル品質情報を使用して、１グループの加入者に対するマルチキャストサービスの送信フォーマットを決定し、
識別子と、チャネル品質情報によって決定された送信フォーマットにしたがって各加入者に送信されるマルチキャストサービスとを、少なくとも１つのチャネル上で送信するためのものである装置。
【請求項３１】
少なくとも１つのチャネル上で識別子とマルチキャストサービスとを送信することは、
第１のチャネル上で識別子を送信し、
第２のチャネル上でマルチキャストを送信することを含む請求項３０記載の装置。
【請求項３２】
処理エレメントはさらに、マルチキャストサービスを第２のチャネル上で送信する前に、マルチキャストサービスをスクランブルするための命令を実行するためのものであり、このスクランブルは、１グループの加入者に対してのみ知られているコードを使用して行われる請求項３１記載の装置。
【請求項３３】
マルチキャストサービスが、最悪チャネル状態を持つ加入者にとって最適な送信フォーマットにしたがって各加入者に送信される請求項３０記載の装置。
【請求項３４】
送信フォーマットは、データレート、スロット数、パケット毎のビット、コードレート、変調、シンボル反復、および送信期間を含んでいるグループから選択された少なくとも２つの送信パラメータを含む請求項３３記載の装置。
【請求項３５】
送信フォーマットの少なくとも２つの送信パラメータは、チャネル品質情報に基づいて調整される請求項３４記載の装置。
【請求項３６】
チャネルリソースを最小にするマルチキャスト送信のための装置において、
メモリエレメントと、
メモリエレメントに記憶されている１組の命令を実行する処理エレメントとを具備し、
この１組の命令は、
マルチキャストサービスにアクセスするための、マルチキャストサービスに対する１グループの加入者用識別子を発生させ、
識別子によって識別される最悪チャネル状態を持つ加入者のチャネル品質情報を選び、
最悪チャネル状態を持つ加入者が、最適チャネル品質でマルチキャストサービスを受信できるようにするマルチキャストサービスの送信フォーマットを決定し、その送信フォーマットは、最悪チャネル状態を持つ加入者に関連付けられたチャネル品質情報に基づいて決定され、
識別子と、チャネル品質情報によって決定された送信フォーマットにしたがって各加入者に送信されるマルチキャストサービスとを、少なくとも１つのチャネル上で送信するためのものである装置。
【請求項３７】
チャネル品質情報は最悪チャネル状態を持つ加入者からの肯定応答信号である請求項３６記載の装置。
【請求項３８】
マルチキャストサービスが、最悪チャネル状態を持つ加入者にとって最適な送信フォーマットにしたがって各加入者に送信される請求項３６記載の装置。
【請求項３９】
送信フォーマットは、データレート、スロット数、パケット毎のビット、コードレート、変調、シンボル反復、および送信期間を含んでいるグループから選択された少なくとも２つの送信パラメータを含む請求項３８記載の装置。
【請求項４０】
送信フォーマットの少なくとも２つの送信パラメータは、チャネル品質情報に基づいて調整される請求項３９記載の装置。
【請求項４１】
識別子は、媒体アクセス制御識別子ＭＡＣ＿ＩＤである請求項３６記載の装置。
【請求項４２】
チャネルリソースを最小にするマルチキャスト送信のための装置において、
メモリエレメントと、
メモリエレメントに記憶されている１組の命令を実行する処理エレメントとを具備し、
この１組の命令は、
複数の加入者に関するチャネル品質情報を決定し、
最悪チャネル状態を持つ加入者を識別し、
複数の加入者に知られているスクランブルコードを使用してマルチキャストサービスをスクランブルし、
最悪チャネル状態を持つ加入者にとって最適な送信フォーマットにしたがって各加入者に送信される、スクランブルされたマルチキャストサービスを複数の加入者に送信するためのものである装置。
【請求項４３】
マルチキャストサービスが、最悪チャネル状態を持つ加入者にとって最適な送信フォーマットにしたがって各加入者に送信される請求項４２記載の装置。
【請求項４４】
送信フォーマットは、データレート、スロット数、パケット毎のビット、コードレート、変調、シンボル反復、および送信期間を含んでいるグループから選択された少なくとも２つの送信パラメータを含む請求項４３記載の装置。
【請求項４５】
送信フォーマットの少なくとも２つの送信パラメータは、チャネル品質情報に基づいて調整される請求項４４記載の装置。
【請求項４６】
識別子は、媒体アクセス制御識別子ＭＡＣ＿ＩＤである請求項４２記載の装置。
【請求項４７】
セルラ通信ネットワーク内の１グループの加入者にブロードキャストする方法において、
複数の加入者に関するチャネル品質情報を決定し、
最悪チャネル状態を持つ加入者を識別し、
複数の加入者に知られているスクランブルコードを使用してマルチキャストサービスをスクランブルし、
最悪チャネル状態を持つ加入者にとって最適な送信フォーマットにしたがって各加入者に送信される、スクランブルされたマルチキャストサービスを複数の加入者に送信するためのものである方法。
【請求項４８】
マルチキャストサービスが、最悪チャネル状態を持つ加入者にとって最適な送信フォーマットにしたがって各加入者に送信される請求項４７記載の方法。
【請求項４９】
送信フォーマットは、データレート、スロット数、パケット毎のビット、コードレート、変調、シンボル反復、および送信期間を含んでいるグループから選択された少なくとも２つの送信パラメータを含む請求項４８記載の方法。
【請求項５０】
送信フォーマットの少なくとも２つの送信パラメータは、チャネル品質情報に基づいて調整される請求項４９記載の方法。
【請求項５１】
識別子は、媒体アクセス制御識別子ＭＡＣ＿ＩＤである請求項４７記載の方法。
【請求項５２】
セルラ通信ネットワーク内の１グループの加入者にブロードキャストする方法において、
マルチキャストサービスにアクセスするための１グループの加入者用識別子を発生させ、
少なくとも１人の加入者に関するチャネル品質情報を使用して、１グループの加入者に対するマルチキャストサービスの送信フォーマットを決定し、
識別子と、チャネル品質情報によって決定された送信フォーマットにしたがって各加入者に送信されるマルチキャストサービスとを、少なくとも１つのチャネル上で送信することを含む方法。
【請求項５３】
マルチキャストサービスが、最悪チャネル状態を持つ加入者にとって最適な送信フォーマットにしたがって各加入者に送信される請求項５２記載の方法。
【請求項５４】
送信フォーマットは、データレート、スロット数、パケット毎のビット、コードレート、変調、シンボル反復、および送信期間を含んでいるグループから選択された少なくとも２つの送信パラメータを含む請求項５３記載の方法。
【請求項５５】
送信フォーマットの少なくとも２つの送信パラメータは、チャネル品質情報に基づいて調整される請求項５４記載の方法。
【請求項５６】
識別子は、媒体アクセス制御識別子ＭＡＣ＿ＩＤである請求項５２記載の方法。